(57)【要約】【課題】秘匿情報を印字するための控紙片を設けない簡略化した封筒型帳票を提供する。【解決手段】宛先情報を含む情報が印字される第一の紙片を第二の紙片に重ね合せ、周囲を接着して封筒とした封筒型帳票であって、前記封筒の内側には複写構造が形成され、前記第一の紙片の、宛先情報を含む情報が印字される面の一部に設けられた秘匿情報印字領域内に、有色インキによる地紋印刷部，エンボス形成部，剥離成分を含むインキによる印刷部，が２つ以上の組み合わせで形成された封筒型帳票を提供する。【選択図】  図１
2007230623.tif 000002
【特許請求の範囲】
【請求項１】
宛先情報を含む情報が印字される第一の紙片を第二の紙片に重ね合せ、周囲を接着して封筒とした封筒型帳票であって、
前記封筒の内側には複写構造が形成され、
前記第一の紙片の、宛先情報を含む情報が印字される面の一部に設けられた秘匿情報印字領域内に、有色インキによる地紋印刷部，エンボス形成部，剥離成分を含むインキによる印刷部，が２つ以上の組み合わせで形成されたことを特徴とする封筒型帳票。
【請求項２】
請求項１に記載の封筒型帳票において、
エンボス形成部は印字面側に深く形成されたことを特徴とする封筒型帳票。
【請求項３】
請求項１〜２何れか一項に記載の封筒型帳票において、
第一の紙片の秘匿情報印字領域の裏側の非印字面に、有色インキによる地紋印刷部が形成されたことを特徴とする封筒型帳票。
【請求項４】
請求項１〜３何れか一項に記載の封筒型帳票において、
有色インキによる地紋印刷部は、剥離成分を含むインキによって印刷されたことを特徴とする封筒型帳票。
【請求項５】
請求項１〜４何れか一項に記載の封筒型帳票において、
複写構造は、封筒の内側に形成されたノーカーボンセルフ用紙による自己発色構造であることを特徴とする封筒型帳票。
【発明の詳細な説明】
【技術分野】
【０００１】
本発明は、封筒型帳票に関し、詳しくは、秘匿情報を印字するための控紙片を設けない簡略化した封筒型帳票に関する。
【背景技術】
【０００２】
近年、銀行や証券会社等ではネットを活用したサービスが充実しつつあるが、このときに重要になるのが、暗証番号である。
暗証番号は、キャッシュカード等で広く使用されているが、サービスが多様化するにつれて、その管理の重大さが増してきている。例えば、従来であれば「００００」や、「９９９９」のような、安易な数字の羅列や「誕生日」、「電話番号」などの覚えやすい数字が使用されることが多かったが、スキミング等の犯罪が増加するにつれ、このような数字の組み合わせは使用できなくなってきている。
そこで、一部の金融機関では、従来使用していた暗証番号を一旦リセットするなどして、異なる番号への変更を働きかけたりしている。
一時的には混乱するであろうが、犯罪者集団から自社の顧客を守るためにはやむをえないとの判断である。
しかし、このような手段にも問題がある。例えば、これまで単発的に設定されてきた暗証番号が、短時間に集中して変更されるため、関係者が不正に暗証番号等を外部に持ち出し易い環境を作ってしまう危険性がある。
また、近年では、スキャナやデジタルカメラを使用すれば、フィルムの現像工程を経ずに記述データをコピーすることができるようになり、情報漏洩の危険性は日々増してきている。
例えば、個人からの申請によって変更された暗証番号が、プリンタ印字されて、印字された帳票が携帯電話に組み込まれたカメラや、高解像度のデジタルカメラで撮影され、電子メール等で配信されてしまうと、本人に暗証番号変更通知書が届く前に「変造カード」が作られてしまう。
このような危険から暗証番号を護るためには、プリントアウトした状態で印字した内容が容易に判読できないようにしておく対策が必要になってくる。
紙にプリントすることなく、携帯電話やパーソナルコンピュータなどにメールで知らせる方法があるが、すべての対象者がＩＴを効果的に使用できている訳ではない。
その結果、すべての対象者に共通して適用できる通知方法となると、結局は封書による郵送という方法に落ち着くのである。
一方、前工程で暗証番号が厳重に管理されても、プリントした郵送物が受取人に確実に届かなければ意味がない。このような課題に対しては、郵送物が本人に届けられた旨の配達記録が確実に残る「配達記録郵便」が使用されている。この「配達記録郵便」は、送付先印字欄に「ＮＷ７」という形式のユニーク情報からなるバーコードが印字またはラベルで貼付されて使用されている。
【０００３】
前述のような背景で、秘匿情報を大量の送付先に届けるためには、先ず、手書きではない、印字という手段が適用可能でなければならないこと」，次に、「印字した情報のうち暗証番号は、印字担当者でも判読できないようにすること」が要求される。
このような課題に対して、「複写帳票組み」が提供されている（特許文献１参照）。
特許文献１に記載された「複写帳票組み」によれば、複写記入された秘匿情報を好適に隠蔽すると共に、安価でコンパクトな道具を使い、簡便な方法により読取可能とし得る複写帳票組を提供するとして、上位帳票裏面に発色剤マイクロカプセル層を設け、これに対応する下位帳票の前記カプセルとの接触面に顕色剤と常温で有色であるが、所定の温度範囲で消色する消色型示温剤マイクロカプセルを混合させてなる顕色剤・示温剤マイクロカプセル層を設けることにより、常温では複写記入された秘匿情報をカムフラージュさせて視認を困難にし、読取時にはこれを加温することによって示温剤を消色させ、読取可能にしたものである。
【０００４】
【特許文献１】特開平１０−２１１７８０号公報
【発明の開示】
【発明が解決しようとする課題】
【０００５】
特許文献１に記載されている技術は、「複写帳票組み」の製造工程が複雑で、しかも、所定の温度範囲（摂氏３５度〜摂氏７０度）で消色する示温剤含有マイクロカプセルを消色させる必要があり、通常の人に対して周りとのコントラストによって秘匿情報を発現させ、判読することは難しい作業となる。
【課題を解決するための手段】
【０００６】
前記課題を解決するために、本発明の封筒型帳票の第一の態様は、宛先情報を含む情報が印字される第一の紙片を第二の紙片に重ね合せ、周囲を接着して封筒とした封筒型帳票であって、前記封筒の内側には複写構造が形成され、前記第一の紙片の、宛先情報を含む情報が印字される面の一部に設けられた秘匿情報印字領域内に、有色インキによる地紋印刷部，エンボス形成部，剥離成分を含むインキによる印刷部，が２つ以上の組み合わせで形成されたことを特徴とするものである。
【０００７】
また、第二の態様は、第一の態様において、エンボス形成部は印字面側に深く形成されたことを特徴とするものである。
【０００８】
また、第三の態様は、第一，第二何れかの態様において、第一の紙片の秘匿情報印字領域の裏側の非印字面に、有色インキによる地紋印刷部が形成されたことを特徴とするものである。
【０００９】
また、第四の態様は、第一，第二，第三何れかの態様において、有色インキによる地紋印刷部は、剥離成分を含むインキによって印刷されたことを特徴とするものである。
【００１０】
また、第五の態様は、第一から第四何れかの態様において、複写構造は、封筒の内側に形成されたノーカーボンセルフ用紙による自己発色構造であることを特徴とするものである。
【発明の効果】
【００１１】
１）第一の態様のように、宛先情報を含む情報が印字される第一の紙片を第二の紙片に重ね合せ、周囲を接着して封筒とした封筒型帳票であって、前記封筒の内側には複写構造が形成され、前記第一の紙片の、宛先情報を含む情報が印字される面の一部に設けられた秘匿情報印字領域内に、有色インキによる地紋印刷部，エンボス形成部，剥離成分を含むインキによる印刷部，が２つ以上の組み合わせで形成されたことによって、インパクトプリンタで送付先情報などと同一条件で秘匿情報印字領域内に秘匿情報を印字することができ、従来のように控え用紙などの目視で秘匿情報などを読み取ることができる紙片が発生しない。その結果、セキュリティ性を高めることができるばかりでなく、帳票のコストを低減することができる。
２）また、第二の態様のように、第一の態様において、エンボス形成部は印字面側に深く形成されたことによって、インパクトプリンタによる活字の凹凸が、より判別し難くなる。
３）また、第三の態様のように、第一，第二何れかの態様において、第一の紙片の秘匿情報印字領域の裏側の非印字面に有色インキによる地紋印刷部が形成されたことによって、第一の紙片に印字された秘匿情報をより判読しにくくすると共に、第一の紙片と第二の紙片に挟まれた第三の紙片上に形成された情報の判読が一層困難になる。
４）また、第四の態様のように、第一，第二，第三何れかの態様において、有色インキによる地紋印刷部は、剥離成分を含むインキによって印刷されたことによって、秘匿情報印字領域に有色インキによる地紋印刷部とエンボス形成部を設けるだけで、剥離成分を含むインキによる印刷部を省略することができ、剥離インキの成分がリボンを介して秘匿情報印字領域に印刷されるプリンタのインキをはじき、転移量を少なくする効果によって目視性を低下させることができる。
５）また、第五の態様のように、第一から第四何れかの態様において、複写構造は、封筒の内側に形成されたノーカーボンセルフ用紙による自己発色構造であることによって、  第一の態様で説明した秘匿情報印字領域のエンボス処理による影響を受けにくくなる。
即ち、第一の紙片をノーカーボントップ紙またはミドル紙、二枚目（第三の紙片）をノーカーボンミドル紙またはボトム紙とする組み合わせでも前述と同様の効果が期待できるはずであるが、ノーカーボントップ紙またはミドル紙の場合、裏面にコーティングされたマイクロカプセルがエンボス処理をする段階で破壊されてしまう可能性が高いのである。
その結果、印字されて送付された秘匿情報が薄くて判読が困難だったり、全く判読できなかったりという問題を生じてしまう。そのために、あえて第一の紙片に通常の用紙を使用し、第三の紙片にセルフ発色式のノーカーボン紙を使用しているのである。
【発明を実施するための最良の形態】
【００１２】
以下、図面を参照して本発明の封筒型帳票について説明する。
図１は、本発明の封筒型帳票の一例について説明するための帳票の印字面から見た平面図，図２は、図１のＡ−Ａ線断面図，図３は、従来の封筒型帳票の一例について説明するための図，図４は、秘匿情報印字領域に形成されたエンボスの効果について説明するための図，である。
【００１３】
図１を参照して、本発明の封筒型帳票の一例について説明する。
図１では、説明し易いように、第一の紙片１の秘匿情報５３が印字されている周辺を一部切り取った状態にしているが、秘匿情報がプリントされ、送付先に届けられるまでは長方形の第一の紙片１がそのままの形状で張り合わされた状態になっている。
封筒型帳票１００は、第一の紙片１と第二の紙片２の周縁が、例えば、「コの字状」の接着部４５で張り合わされて形成されている。
また、封筒型帳票１００の内側、即ち、第一の紙片１と第二の紙片２の間には、第三の紙片３が形成されている。第三の紙片３には、後述するようにノーカーボンセルフ用紙が使用される。
【００１４】
第一の紙片１，第二の紙片２，第三の紙片３は、図１のように張り合わされて両サイドに切取りミシン４２，４３が形成される。この切取りミシン４２，４３は、封筒型帳票１００の両サイドに形成された送り孔４４を、印字処理を行った後で手で切り取るための切取りミシンで、機械によって切り落とす場合は形成されなくてもよい。
また、図示しないが、封筒型帳票１００の上端，下端には封筒型帳票１００を単票単位に切り離すための横ミシンが形成されている。
受取人は、切取りミシン４２，４３と、前述の横ミシンに囲まれた状態で封筒型帳票１００を受け取る。
【００１５】
封筒型帳票１００には、送付するための宛先情報５，配達記録用バーコード５１，秘匿情報（以下暗証番号ともいう）５２または５３が印字される。
第一の紙片１の印字面、秘匿情報が印字される秘匿情報印字領域１１には、図示しないが、有色インキによる地紋印刷部，エンボス形成部，剥離成分を含むインキによる印刷部が２つ以上の組み合わせで形成されている。即ち、有色インキによる地紋印刷部とエンボス形成部，有色インキによる地紋印刷部と剥離成分を含むインキによる印刷部，エンボス形成部と剥離成分を含むインキによる印刷部の組み合わせになる。
剥離成分を含むインキによる印刷部は、有色インキによる地紋印刷部に兼ねさせることもできる。
上述の、組み合わせのエンボス形成部と剥離成分を含むインキによる印刷部の組み合わせの場合で、剥離成分を含むインキによる印刷部が有色でない場合は、第一の紙片の秘匿情報印字領域１１の裏側に有色インキによる地紋印刷部を設けてもよい。
これは、第三の紙片３上に発色した秘匿情報５３が第一の紙片１を透過して判読されないようにするためである。
また、第三の紙片３上の秘匿情報５３発現欄以外の部分は、加圧によって無駄な発色を避けるために全面減感処理（加圧されても発色しない状態にする処理）を施してもよい。
【００１６】
配達記録用バーコード５１は、配達された時点で、配達員が携帯しているバーコード読取装置で配達の証として読み取られるもので、読み取られた配達記録用バーコード情報は宛先情報５と関連付けられて利用される。
また、切取りミシン４１は、封筒型帳票１００を受け取った受取人が封筒型帳票１００から第三の紙片３を取り出すために切り取る切取りミシンである。
【００１７】
図２を参照して、図１のＡ−Ａ線断面について説明する。
第一の紙片１と第二の紙片２は、接着部４５，４６で張り合わされている。
第一の紙片１と第二の紙片２の間には、複写構造を有する第三の紙片３が図の左側の接着部４６で固定されて形成されている。図で判るように第三の紙片３は、固定されていない先端が接着部４２の内側になるように形成されている。
第一の紙片１には、切取りミシン４１，４２，４３が形成されている。図示しないが第二の紙片２にも第一の紙片と同じ位置に、切取りミシン４１，４２，４３が形成されている。
第三の紙片には接着部４６の右側に切取りミシン３１が形成され、第一の紙片１と第二の紙片２による封筒から切り離して取り出すことができるようになっている。
【００１８】
図２の第一の紙片１の印字面には、宛先情報５が印字されている。宛先情報５が印字されている領域の右側一部領域は、秘匿情報印字領域１１になっており秘匿情報５２が印字されている。
秘匿情報印字領域１１には、図示しないが、有色インキによる地紋印刷部，エンボス形成部，剥離成分を含むインキによる印刷部が２つ以上の組み合わせで形成されている。
第三の紙片３としてノーカーボンセルフ用紙が使用される。
前述したように、第一の紙片１をノーカーボントップ紙またはミドル紙とし、第三の紙片をノーカーボンミドル紙またはボトム紙とする組み合わせでも秘匿情報５３は発現するが、ノーカーボントップ紙またはミドル紙の場合、秘匿情報印字領域１１の裏面にコーティングされたマイクロカプセルがエンボス処理をする段階で破壊され、その結果、印字されて送付された秘匿情報が薄くて判読が困難だったり、全く判読できなかったりという問題を生じてしまう。
【００１９】
図２において、第三の紙片３の秘匿情報印字領域１１に対応する位置に秘匿情報５３が発現する。これは、第三の紙片３に形成された発色剤を内包したマイクロカプセルがプリンタの活字によって破壊され、その周辺を固めている顕色剤によって発色されて発現する。前記ノーカーボンセルフ用紙上に発現した秘匿情報５３は、第一の紙片を透過して判読できないように、秘匿情報印字領域１１または、その裏側に有色のインキで地紋（図示せず）を印刷する
【００２０】
図３を参照して、従来の封筒型帳票の一例について説明する。
図３は、図２で示した断面図に従来の封筒型帳票の控え用紙片を丁合させた状態の一例を図示している。
第一の紙片１０と第二の紙片２０は、接着部４５０，４６０で張り合わされている。
第一の紙片１０と第二の紙片２０の間には、複写構造を有する第三の紙片３０が図の左側の接着部４６０で固定されて形成されている。図で判るように第三の紙片３０は、固定されていない先端が接着部４５０の内側になるように形成されている。
第一の紙片１０には、切取りミシン４１０，４２０，４３０が形成されている。図示しないが第二の紙片２０にも第一の紙片と同じ位置に、切取りミシン４１０，４２０，４３０が形成されている。
第三の紙片には接着部４６の右側に切取りミシン３１０が形成され、第一の紙片１０と第二の紙片２０による封筒から切り離して取り出すことができるようになっている。
【００２１】
ここで、従来の封筒型帳票が、本発明の封筒型帳票と異なる部分は、控え用紙片６が封筒型帳票の他に形成されていることと、秘匿情報印字領域１１が形成されていないことと、秘匿情報印字領域１１に有色インキによる地紋印刷部，エンボス形成部，剥離成分を含むインキによる印刷部などが形成されていないことである。したがって、当然、第三の紙片にノーカーボンセルフ用紙を使用する必然性もない。
即ち、第一の紙片１０をノーカーボントップ紙またはミドル紙とし、第三の紙片３０をノーカーボンミドル紙またはボトム紙とする組み合わせてもよい。
しかしながら、送付される際には控え用紙片６は切取りミシン４３０の部分で切り離されて使用されるために、図１で説明した配達記録用バーコードを、宛先情報と関連付けながら印字しなければならないことになる。なぜならば、複写によって発現したバーコード（控え用紙片６の表面に印字され、第一に紙片上に複写されたバーコード）は、バーの太さが不鮮明なために、例えば、「ＮＷ７」方式のバーコードなどは、使用できないからである。
【００２２】
図４を参照して、秘匿情報印字領域に形成されたエンボスの効果について説明する。
ａ図は、エンボスが施されていない紙片上の秘匿情報印字領域１１にインパクトプリンタで印字された場合の活字による凹み５００の断面をあらわしたものである。
紙片を傾けたり、細かい顔料粉などを刷り込んで薄く着色すると、印字した部分の情報を判読することができる。
そこで、紙片の表面の秘匿情報印字領域１１に、ｂ図に示すようなエンボス（凹凸）を形成し、その上からａ図と同条件でインパクトプリンタで印字による凹み５００を形成しても、周辺にエンボスによる凹凸があるために印字した部分の情報を判読することができない。
更に、秘匿情報印字領域１１に印字された印影の判読をより困難にするために、ｂ図に示すように、紙片の印字面の凹凸をその裏側より大きくする。
【００２３】
図２を参照して使用される材料の一例について説明する。
第一の紙片１および第二の紙片２には、上質紙（８１．４ｇ／ｍ2）を使用する。
第三の紙片にはノーカーボンセルフ用紙（Ｎ６０〜Ｎ１００）を使用する。
印刷インキは、市販されている紫外線硬化型のインキを使用し、また、剥離インキも市販の剥剤インキを使用する。
エンボスは、印刷機の版胴に型を取り付け、平圧または輪転機によってエンボス部を形成する。
接着剤は、市販されているエマルジョン型の接着剤を使用する。
【産業上の利用可能性】
【００２４】
本発明の封筒型帳票は、暗証番号などの通知の際の封書として有効に利用できる。
【図面の簡単な説明】
【００２５】
【図１】本発明の封筒型帳票の一例について説明するための帳票の印字面から見た平面図である。
【図２】図１のＡ−Ａ線断面図である。
【図３】従来の封筒型帳票の一例について説明するための図である。
【図４】秘匿情報印字領域に形成されたエンボスの効果について説明するための図である。
【符号の説明】
【００２６】
１，１０  第一の紙片
２，２０  第二の紙片
３，３０  第三の紙片
５，５０  印字情報
６      控用紙片
１１    秘匿情報印字領域
３１，４１，４２，４３，３１０，４１０，４２０，４３０  切取りミシン
４４    送り孔（スプロケットホール）
４５，４６，４７，４５０，４６０，４７０  接着部
５１    配達記録用バーコード
５２，５２０  秘匿情報
５３，５３０  複写構造による秘匿情報
１００  封筒型帳票
５００  印字による凹み
【図１】
2007230623.tif 000003
【図２】
2007230623.tif 000004
【図３】
2007230623.tif 000005
【図４】
2007230623.tif 000006